(57)【要約】【課題】傘の各露先部分の発光量をほぼ均等にする。【解決手段】中棒２の先端部分には光源４が配置され、該光源４を囲むように略球状の反射部材６が配置されている。また、該反射部材６から露先７に掛けて各親骨８に沿うように光ファイバー９がそれぞれ配置されており、反射部材６の側から光ファイバー９に入射された光は露先７の側から出射されることとなる。前記反射部材６の内部では光源４からの光が様々な方向に反射されることとなるので、各光ファイバー９に入射される光の量はほぼ均等となり、各露先部分の発光量をほぼ均等にすることができる。【選択図】図１
0003145541.tif 000002
【実用新案登録請求の範囲】
【請求項１】
中棒の先端部分に配置された光源と、
該光源に電源を供給するバッテリと、
該光源を囲むように配置されて該光源からの光を反射する反射部材と、
前記光源及び前記反射部材に近接する部分から露先に掛けて複数の親骨にそれぞれ沿うように延設された複数の光ファイバーと、
前記光源をオン／オフするスイッチと、
を備えた発光傘。
【請求項２】
前記反射部材は、略球状であって、前記光ファイバーを挿通するための光ファイバー用穴と、前記光源を挿通するための光源用穴とを有し、
前記光源は、前記光源用穴に挿通された状態で前記反射部材の内部に配置され、
前記光ファイバーは、前記光ファイバー用穴に挿通されると共に、該光ファイバーの端面が前記反射部材の内部に配置される、
ことを特徴とする請求項１に記載の反射傘。
【考案の詳細な説明】
【技術分野】
【０００１】
本考案は、光源を備えた発光傘に関する。
【背景技術】
【０００２】
雨が降っている夜間は、自動車のドライバーは歩行者を視認し辛いという問題があり、そのため、傘自体に光源を設けて発光させるようにした発光傘について種々の提案がなされている（例えば、特許文献１，２，３，４参照）。
【０００３】
図３(a)
(b) (c) は、従来の発光傘の構成の一例を示す模式図である。図３(a) に示す傘では、中棒１００の先端部分（石突の部分）や親骨１０１の末端部分（露先部分）にそれぞれ光源が配置され（符号１０２参照）、各光源１０２が点灯されるように構成されていた。また、同図(b)
及び(c) に示す傘では、石突１１０，１２０の内部に光源１１１，１２１が配置され、その光は、親骨に沿うように配置された光ファイバー１１２，１２２内を通って露先部分１１３，１２３から出射されるように構成されていた。
【特許文献１】特開平０８−２９４４０８号公報
【特許文献２】特開２０００−２３７２０号公報
【特許文献３】特開２００２−１７７０２８号公報
【特許文献４】実開昭６３−８５１１６号公報
【考案の開示】
【考案が解決しようとする課題】
【０００４】
しかしながら、図３(a) に示す構成のものでは、光源１０２が多数配置されているので、光源の個数の分だけ故障の回数が増えてしまってメンテナンスが大変になったり、防水対策を施すべき箇所が増えてしまったりする等の問題があった。
【０００５】
また、図３(b)
及び(c) に示す構成のものでは、光ファイバー１１２，１２２の端面は光源１１１，１２１に対向するように配置されて該光源１１１，１２１からの光が光ファイバー１１２，１２２に入射されるように構成されているが（同図(c)
参照）、各光ファイバー１１２，１２２に入射される光量は不均一になり易く、各露先部分の発光量を均等にすることが困難であるという問題があった。
【０００６】
本考案は、上述のような問題を低減することができる発光傘を提供することを目的とするものである。
【課題を解決するための手段】
【０００７】
請求項１に係る考案は、図１及び図２に例示するものであって、中棒（２）の先端部分に配置された光源（４）と、
該光源（４）に電源を供給するバッテリ（５）と、
該光源（４）を囲むように配置されて該光源（４）からの光を反射する反射部材（６）と、
前記光源（４）及び前記反射部材（６）に近接する部分から露先（７）に掛けて複数の親骨（８）にそれぞれ沿うように延設された複数の光ファイバー（９）と、
前記光源（４）をオン／オフするスイッチ（１０）と、を備えたことを特徴とする。
【０００８】
請求項２に係る考案は、請求項１に係る考案において、前記反射部材（６）が、略球状であって、前記光ファイバー（９）を挿通するための光ファイバー用穴（６ａ）と、前記光源（４）を挿通するための光源用穴（不図示）とを有し、
前記光源（４）が、前記光源用穴に挿通された状態で前記反射部材（６）の内部に配置され、
前記光ファイバー（９）が、前記光ファイバー用穴（６ａ）に挿通されると共に、該光ファイバー（９）の端面が前記反射部材（６）の内部に配置されることを特徴とする。
【０００９】
なお、括弧内の番号などは、図面における対応する要素を示す便宜的なものであり、従って、本記述は図面上の記載に限定拘束されるものではない。
【考案の効果】
【００１０】
請求項１に係る考案によれば、前記反射部材の内部では光源からの光が様々な方向に反射されることとなるので、各光ファイバーに入射される光の量はほぼ均等となり、各露先部分の発光量をほぼ均等にすることができ、安全上及び装飾効果の面からも好ましい。
【００１１】
請求項２に係る考案によれば、光源の光は漏れることなく各光ファイバーに入射されるので、該光源の光を効率よく利用できる。
【考案を実施するための最良の形態】
【００１２】
以下、図１及び図２に沿って、本考案を実施するための最良の形態について説明する。ここで、図１は、本考案に係る発光傘の全体構成の一例を示す側面図であり、図２は、光源及び反射部材の構成等を示す詳細側面図である。
【００１３】
本考案に係る発光傘は、図１に符号１で例示するものであって、中棒２の先端部分（手元３とは反対側の部分）に配置された光源４と、該光源４に電源を供給するバッテリ５と、該光源４を囲むように配置されて該光源４からの光を反射する反射部材６と、前記光源４及び前記反射部材６に近接する部分から露先７に掛けて複数の親骨８にそれぞれ沿うように延設された複数の光ファイバー９と、前記光源４をオン／オフするスイッチ１０と、を備えている。
【００１４】
本考案によれば、前記スイッチ１０を操作して前記光源４を点灯させると、該光源４からの光は、直接、或いは前記反射部材６にて反射された上で前記光ファイバー９に入射され、該光ファイバー９の露先側先端部から出射されることとなる。本考案によれば、複数の箇所（複数の露先部分）を発光させるのに光源４は１つだけで足りるので、図３(a) に示すように光源を複数配置する場合に比べて光源の故障の回数が減ることとなり、その分、光源の交換などのメンテナンスの回数が減ることとなる。また、光源の個数を１つだけにできるので、複数個の光源を配置しなければならない場合に比べて防水対策を施すべき箇所を低減することができる。さらに、前記反射部材６の内部では光源４からの光が様々な方向に反射されることとなるので、各光ファイバー９に入射される光の量はほぼ均等となり、各露先部分の発光量をほぼ均等にすることができ、安全上及び装飾効果の面からも好ましい。
【００１５】
ところで、図１に示す反射部材６は、図２に詳示するように、略球状（球状以外に、楕円体や、それに類似する形状も含む概念である）であって、前記光ファイバー９を挿通するための光ファイバー用穴６ａと、前記光源４を挿通するための光源用穴（不図示）とを有していると良い。そして、前記光源４は、前記光源用穴に挿通された状態で前記反射部材６の内部に配置され、前記光ファイバー９は、前記光ファイバー用穴６ａに挿通されると共に、該光ファイバー９の端面が前記反射部材６の内部に配置されると良い。なお、光ファイバー用穴６ａと光ファイバー９との間、及び光源用穴と光源４の間の隙間は小さくしておくと良い。このようにした場合には、光源４の光は漏れることなく各光ファイバー９に入射されるので、該光源４の光を効率よく利用できる。
【００１６】
ところで、図２に示す反射部材６は、２つの略半球状部品６ａ，６ｂを組み合わせて構成し、その内面にはミラーコートを施している。また、上述のバッテリ５は手元３に内蔵されており、スイッチ１０は押しボタンスイッチであって手元上部に配置されており、上述の光源４は発光ダイオードである。
【００１７】
しかしながら、本考案の範囲が図１及び図２により限定されるものでは無い。例えば、反射部材６を、２つの部品ではなく３つ以上の部品で構成したものや、１つの部品のみで構成したものを本考案の範囲から除外するものでは無い。また、反射部材６の内面にミラーコートを施さないものを本考案の範囲から除外するものでは無い。さらに、光ファイバー９が全ての親骨８に配置されているものに限定する趣旨ではなく、光ファイバー９の本数が親骨８の本数より少ないものを本考案の範囲から除外するものでは無い。またさらに、バッテリ５を内蔵する箇所としては手元３が最適ではあるが、手元以外の部分にバッテリ５を配置したものを本考案の範囲から除外するものではない。また、スイッチ１０としては押しボタンスイッチが好ましいが、押しボタンスイッチ以外のスイッチを使用したものを本考案の範囲から除外するものでは無い。さらに、該スイッチ１０を配置する箇所としては手元３が最適ではあるが、手元以外の部分にスイッチ１０を配置したものを本考案の範囲から除外するものでは無い。またさらに、発光ダイオード以外の光源を用いたものを本考案の範囲から除外するものでも無い。
【図面の簡単な説明】
【００１８】
【図１】図１は、本考案に係る発光傘の全体構成の一例を示す側面図である。
【図２】図２は、光源及び反射部材の構成等を示す詳細側面図である。
【図３】図３(a) (b) (c) は、従来の発光傘の構成の一例を示す模式図である。
【符号の説明】
【００１９】
２            中棒
４            光源
５            バッテリ
６            反射部材
６ａ          光ファイバー用穴
７            露先
８            親骨
９            光ファイバー
１０          スイッチ
【図１】
0003145541.tif 000003
【図２】
0003145541.tif 000004
【図３】
0003145541.tif 000005